(57)【要約】【課題】部材をロックするための機器を備える計時器を提供すること。【解決手段】本発明は、バルブ（３）の平行移動を、またはケースの中心軸（１ａ）に最も近い位置で制御部材の平行移動を、妨害することができるロックする機器を備える計時器に関する。ロックする機器は、  −部材がそれぞれ妨害される、または平行移動で自由に動く、ロック位置とロック解除位置の間で、放射軸に沿って平行移動変位を受けることができる妨害要素（９）と、  −ケース（１）の中心軸（１ａ）を中心に回転状態で動くことができるように搭載され、かつユーザが回転状態に設定することが意図される部分（１３）と、  −回転状態で動くことができるように搭載された前記部分（１３）の角度変位を、ロック位置とロック解除位置の間の、妨害要素（９）の平行移動変位に結びつけるための駆動手段と  を備える。【選択図】図１Ｂ
2020076771.tif 000002
【特許請求の範囲】
【請求項１】
計時器であって、
−ケース（１）の一般平面に実質的に垂直な中心軸（１ａ）を伴う前記ケース（１）と、
−一般に部材と呼ばれる制御部材またはバルブ（３）であって、前記部材は、少なくとも第１の位置と、前記第１の位置よりも前記ケース（１）の前記中心軸（１ａ）からさらに離れて位置する第２の位置との間で、放射軸に沿って前記ケース（１）の中央部（２）上で、平行移動で動くことができるように搭載され、前記第２の位置と前記第１の位置の間の経路の少なくとも一方の端部上にねじ込まれる制御部材またはバルブ（３）と、
−前記第１の位置で前記部材の前記平行移動を妨害することができるロックする機器と
を備え、
前記ロックする機器は、
−前記部材がそれぞれ妨害される、または平行移動で自由に動く、ロック位置とロック解除位置の間で、前記放射軸に沿って平行移動変位を受けることができる妨害要素（９）と、
−前記ケース（１）の前記中心軸（１ａ）を中心に回転状態で動くことができるように搭載され、かつユーザが回転状態に設定することが意図される部分（１３）と、
−回転状態で動くことができるように搭載された前記部分（１３）の角度変位を、前記ロック位置と前記ロック解除位置の間の、前記妨害要素（９）の前記放射軸に沿った前記平行移動変位に結びつける駆動手段と
を備える計時器。
【請求項２】
前記駆動手段は、カム、および前記カムと係合する従動節を含み、前記カムおよび前記従動節は、回転状態で動くことができるように搭載された前記部分（１３）上に、および前記妨害要素（９）上にそれぞれ作成されることを特徴とする、請求項１に記載の計時器。
【請求項３】
前記カムは、回転状態で動くことができるように搭載された前記部分（１３）の内部に作成された凹部（１３ａ）により形成され、前記凹部は、前記従動節を誘導するための少なくとも１つの側面により範囲を定められること、ならびに前記従動節は、前記妨害要素（９）上に配置された指状に突き出た部分（１１）であることを特徴とする、請求項２に記載の計時器。
【請求項４】
前記カムは、回転状態で動くことができるように搭載された前記部分（１３）上に作成された突出部分により形成され、前記突出部分は、前記従動節を誘導するための少なくとも１つの側面により範囲を定められること、ならびに前記従動節は、前記妨害要素（９）内にくりぬかれた凹部であることを特徴とする、請求項２に記載の計時器。
【請求項５】
前記部材は、リング（６）内で終わる中空体（５）よりも高くそそり立つ頭部（４）を含み、前記リングは、肩部（６ａ）を形成するように、前記中空体の外径よりも大きな外径を有することを特徴とする、請求項１から請求項４のいずれか一項に記載の計時器。
【請求項６】
前記妨害要素（９）は、前記リング（６）を取り囲み、かつ前記中空体（５）を少なくとも部分的に取り囲む円筒状スリーブ（１０）を含むことを特徴とする、請求項５に記載の計時器。
【請求項７】
前記スリーブ（１０）は、前記スリーブ（１０）の内面上に、前記妨害要素（９）が前記ロック位置にあるときに前記リング（６）の前記肩部（６ａ）のためのバンキングを画定する内側部分（１０ａ）を含むことを特徴とする、請求項６に記載の計時器。
【請求項８】
前記内側部分（１０ａ）は、前記部材の前記頭部（４）の方を向いて配置された、前記スリーブ（１０）の端部に配置されることを特徴とする、請求項７に記載の計時器。
【請求項９】
前記指状に突き出た部分（１１）は、基部を含むこと、ならびに前記スリーブ（１０）は、前記指状に突き出た部分の前記基部が収容される開口部（１０ｂ）を含むことを特徴とする、請求項３、および請求項５から請求項８のいずれか一項に記載の計時器。
【請求項１０】
前記少なくとも誘導する側面は、前記ケース（１）の前記中心軸（１ａ）から離れて徐々に動くことを特徴とする、請求項３から請求項９のいずれか一項に記載の計時器。
【請求項１１】
前記少なくとも誘導する側面は、円の円弧を形成することを特徴とする、請求項１０に記載の計時器。
【請求項１２】
前記少なくとも誘導する側面は、前記従動節が前記ロック位置と前記ロック解除位置の間を滑らかに推移することができるようにする遷移ゾーン（ａ２）により分離された、前記ロック位置および前記ロック解除位置にそれぞれ対応する２つのセグメント（ａ１）により形成されることを特徴とする、請求項１０に記載の計時器。
【請求項１３】
前記セグメント（ａ１）は、直線をなすこと、ならびに前記遷移ゾーン（ａ２）は、湾曲している、直線をなす、または部分的に湾曲して直線をなすことを特徴とする、請求項１２に記載の計時器。
【請求項１４】
前記ケース（１）は、ベゼル（１２）を含み、または支持し、回転状態で動くことができるように搭載された前記部分（１３）は、前記ユーザがアクセスできるように、前記ケースの縁部により範囲を定められる外周の外側に伸長する把持ゾーン（１３ｂ）を伴う、前記ベゼルの下に隠されたリングであることを特徴とする、請求項１から請求項１３のいずれか一項に記載の計時器。
【請求項１５】
前記ケース（１）は、ベゼル（１２）を含み、または支持し、回転状態で動くことができるように搭載された前記部分（１３）は、前記ベゼルの下に部分的に隠されたリングであり、前記リングの目に見える部分は、前記ユーザがアクセスできるように、前記ベゼルの周囲を越えて伸長することを特徴とする、請求項１から請求項１３のいずれか一項に記載の計時器。
【請求項１６】
前記ケース（１）は、ベゼル（１２）を含み、または支持し、回転状態で動くことができるように搭載された前記部分（１３）は、前記ベゼルにより形成されることを特徴とする、請求項１から請求項１３のいずれか一項に記載の計時器。
【請求項１７】
前記妨害要素（９）は、前記ロック位置と前記ロック解除位置で前記可動部分（１３）の下に完全に隠されることを特徴とする、請求項１から請求項１６のいずれか一項に記載の計時器。
【請求項１８】
前記部材は、前記第１の位置、前記第２の位置、および第３の位置を取ることができる巻上げボタンであり、前記第１の位置、前記第２の位置、および前記第３の位置は、それぞれ計時器を巻くこと、日付を変更すること、および表示された目に見える時間を補正することを可能にすることを特徴とする、請求項１から請求項１７のいずれか一項に記載の計時器。
【請求項１９】
前記部材は、前記バルブの前記閉位置に対応する前記第１の位置、および前記バルブの前記開位置に対応する前記第２の位置を取ることができる前記バルブ（３）であることを特徴とする、請求項１から請求項１７のいずれか一項に記載の計時器。
【発明の詳細な説明】
【技術分野】
【０００１】
本発明は、時計製作技術の分野に関する。本発明は、より詳細には巻上げボタンなどの制御部材、またはより一般にはバルブなどの、ユーザが作動させることができる以外の任意の部材をロックするための機器を備える計時器に関する。
【背景技術】
【０００２】
計時器は、制御部材を非活動化するために使用するロックする機器を備えることが公知である。これらの機器の目的は、制御部材の任意の偶発的作動を防止することである。数多くの公知の文書が、押しボタンまたは巻上げボタンのためのそのようなロックする機器について記述しており、そのようなロックする機器は多くの場合、解放バルブを備えつけるダイバーズウオッチのために交換できる可能性がある。
【０００３】
たとえば、特許文書特開２００５−３３７７９２号公報は、巻上げボタンのためのロックする機器について記述している。ロックする機器は、回転するベゼルの内面と一体化した取っ手を含む。ベゼルの所与の角度位置に対して、取っ手は、巻上げボタン内に作成された溝の中に位置決めされ、これにより、巻上げボタンの平行移動変位は妨害される。この構成には、所与の角度位置に対して、溝と取っ手の間の調節が不完全である場合、機器が妨害されるようになるという欠点がある。
【先行技術文献】
【特許文献】
【０００４】
【特許文献１】特開２００５−３３７７９２号公報
【発明の概要】
【発明が解決しようとする課題】
【０００５】
本発明の目的は、部材をロックするための機器を備える計時器を提供することにより、前述の欠点を克服することであり、機器は、ユーザが取り扱いやすく美的であるのと同時に信頼性がある。部材は、制御部材、たとえば巻上げボタンまたはバルブを意味する。
【課題を解決するための手段】
【０００６】
この目的のために、本発明は、ロック位置とロック解除位置の間で部材の長手方向の軸に沿って平行移動変位を受けることができる妨害要素を具備するロックする手段を備える計時器を提案する。妨害要素は、バルブを閉位置に、巻きボタンを下がった位置にロックするように配列される。妨害要素の平行移動変位は、妨害要素がケースの中心軸を中心に回転状態で動くことができるように搭載された部分により制御される。可動部分は、ユーザにより回転状態に設定されることが意図される。この可動部分は、ユーザが把持することができるように、ケースの縁部により範囲を定められる外周の外側に伸長する把持ゾーンと一体化した、ベゼルの下に隠された回転リングとすることができる。この可動部分はまた、ベゼルを形成する目に見える部分を伴う、ベゼルの下に部分的に隠された回転リングとすることができる、またはベゼル自体とすることができる。この可動部分が回転状態で動くことができるように搭載された部分の角度変位は、駆動手段により妨害要素の平行移動変位に結びつけられる。前記駆動手段は、妨害要素上に配置された従動節のためのガイド面を画定する、可動部分の上に配置されたカムを備える。ガイド面は、ケースから外側に向けて、妨害要素のロック位置から妨害要素のロック解除位置まで、妨害要素の平行移動変位を生成するために、可動部分がケースの中央の軸から離れて動くように輪郭を描く。
【０００７】
優先的には、カムは、回転状態で動くことができ、かつ従動節が妨害要素の上に配置された指状に突き出た部分であるように搭載された部分の内部に作成された凹部により形成される。優先的には、妨害要素は、前記部材の頭部の下に配置された部材の一部分を取り囲むスリーブにより形成され、スリーブは、可動部分に向けて突き出る指状に突き出た部分を受け入れることが意図される筐体を含む。さらに、スリーブは、妨害要素がそのロック位置の中に平行移動したときに部材の前記一部分上に作成された肩部のためのバンキング（ｂａｎｋｉｎｇ）を形成する内側部分を含む。
【０００８】
ロック位置にあろうと、ロック解除位置にあろうと、妨害要素は、ケースの縁部により範囲を定められる外周を越えて突出することなく、ベゼルの下に隠されたままである。したがって、本発明による、部材をロックするための機器は、完全にケースのデザインに一体化され、一方では、使用しやすい。さらに、取る位置とは無関係に、妨害要素の指状に突き出た部分は、可動部分の凹部と係合したままであり、これは、ロックする機器の信頼性を保証する。
【０００９】
本発明の他の特徴および利点については、以下の図を参照して以下に示す詳細な記述を読むと、よりよく理解されるであろう。
【図面の簡単な説明】
【００１０】
【図１Ａ】バルブをロックするための機器を具備する、本発明による計時器の部分的平面図を示す。バルブは、閉位置でロックされている。
【図１Ｂ】図１Ａ内のＡ−Ａ軸に沿った断面図を示す。
【図１Ｃ】図１Ｂ内のＥ−Ｅ軸に沿った断面図を示す。
【図１Ｄ】図１Ｂ内のＣ−Ｃ軸に沿った断面図を示す。
【図２Ａ】バルブをロックするための機器を具備する、本発明による計時器の部分的平面図を示す。バルブは、ロック解除され、閉位置にある。
【図２Ｂ】閉位置でロック解除されたバルブに関する、図１Ｂの断面図に類似する図を示す。
【図２Ｃ】閉位置でロック解除されたバルブに関する、図１Ｄの断面図に類似する図を示す。
【図３Ａ】バルブをロックするための機器を具備する、本発明による計時器の部分的平面図を示す。バルブは、ロック解除され、開位置にある。
【図３Ｂ】開位置でロック解除されたバルブに関する、図１Ｂの断面図に類似する図を示す。
【図３Ｃ】開位置でロック解除されたバルブに関する、図１Ｄの断面図に類似する図を示す。
【発明を実施するための形態】
【００１１】
本発明は、部材の長手方向の軸に沿った平行移動変位および同じ軸を中心とする回転変位を受けることができる部材をロックするための機器を備える、腕時計タイプの計時器に関する。この機器は、図１Ａに示すようなねじ締めバルブ３、またはねじ締め巻上げボタン（図示せず）とすることができる。
【００１２】
図１Ａおよび図１Ｂを参照すると、計時器は、従来の方式では、中央部２と、中央部２に固定されたチューブ７にねじで取り付けられたバルブ３とを具備するケース１を含む。バルブ３のねじを締める、および緩めることにより、バルブは、ケースに対して放射軸とも呼ぶことができるバルブの長手方向の軸に沿って、閉位置と、ウオッチケース内部の圧力が過剰な場合にガスを解放することができるようにする、閉位置と異なる開位置の間を、平行移動で変位することができるようになる。バルブ３と一体化したロッド８は、チューブ７を通過する。前記バルブ３は、リング６内で終わる実質的に円筒状の中空体５よりも高くそそり立つ頭部４を含む。リング６は、中空体５の外面とリング６の外面の間の接合部で肩部６ａを形成するように、中空体５の外径よりも大きな外径を有する。優先的には、組立てを容易にするために、中空体５を伴う頭部４は、リング６とは別個の部分である。
【００１３】
本発明によれば、計時器は、閉位置でバルブを妨害することを可能にするロックする機器を含む。ロックする機器は、ロック位置とロック解除位置の間でバルブの長手方向の軸に沿って平行移動で動くことができる妨害要素９を含む。妨害要素９は、リング６を取り囲み、バルブの中空体５を少なくとも部分的に取り囲む。妨害要素９は、円筒状スリーブ１０により形成される。このスリーブ１０は、その内面上に、ロックする機器がそのロック位置にあるときにリング６の肩部６ａのためのバンキングを画定する内側部分１０ａを有する。換言すれば、スリーブは、その内面上に、スリーブの残りの部分の内径よりも小さな内径を有する部分を、すなわち、肩部のためのバンキングを形成する異なる直径部分間の接合部を含む。この内側部分１０ａは、バルブの頭部４の方を向いて配置された、スリーブ１０の端部に配置される。妨害要素９は、スリーブ１０内に作成された凹部１０ｂ内に収容された基部を伴う指状に突き出た部分１１と、ケースのベゼル１２に向かってスリーブ１の外側に突き出る突出部分とを含む（図１Ｂおよび図１Ｃ）。この指状に突き出た部分は、ケースの一般平面に垂直な軸およびバルブの長手方向の軸に垂直な軸である、ケース１の中心軸１ａに平行な方向に突き出る。
【００１４】
ロックする機器は、中心軸１ａを中心に回転状態で動くことができるように搭載され、かつユーザにより回転状態に設定されることが意図される部分１３をさらに含む。回転状態で動くことができるこの部分１３は、ロック位置とロック解除位置の間で妨害要素９の平行移動変位を作動させる。したがって、この部分１３は、ロック位置およびロック解除位置にそれぞれ対応する２つの角度位置を有する。たとえば、ベゼル上の印により、これらの２つの角度位置を識別することができる。図示する例では、可動部分１３は、ユーザがケース１を把持することができるようにするために、ケース１の縁部により範囲を定められる外周の外側に伸長する把持ゾーンとも呼ばれる突出部分１３ｂを伴ってベゼル１２の下に隠される回転リングを形成する。有利には、この把持ゾーンは、ユーザが把持ゾーンを手で扱いやすくするようにテクスチャづけされる。あるいは、可動部分はまた、ユーザがアクセスできるように、ベゼルの周囲を越えて伸長するリングの部分を伴う、ベゼルの下に一部だけ隠されるリングとすることができる。別の代替実施形態によれは、可動部分は、ベゼル自体である。可動部分は、駆動手段を介して妨害要素に運動学的に連結される。
【００１５】
駆動手段は、可動部分１３上に配置されたカムと係合することが意図される、従動節の役割を果たす妨害要素９の指状に突き出た部分１１を含む。カムは、回転リング１３内に作成された内側の凹部１３ａの２つの側面の少なくとも一方により画定される（図１Ｄ）。凹部１３ａは、ロック位置およびロック解除位置にそれぞれ対応する２つのセグメントａ１を含む。セグメントａ１は、ケースの中心軸に最も近いロック位置とロック解除位置に対応するより遠い位置の間で妨害要素のこの軸方向変位を生成するために、ケースの中心軸から離れて動くように配列される。これらの図に示す例では、セグメントａ１は、直線をなし、遷移ゾーンａ２により分離され、指状に突き出た部分１１が、ケースの中心軸に最も近いロック位置とロック解除位置に対応するより遠い位置の間を滑らかに推移することができるようになる（図１Ｄ）。この遷移ゾーンは、実質的に直線をなす、湾曲する、または湾曲した部分および直線部分を有することができる。セグメントおよび遷移ゾーンはまた、ケースの中心軸に対して中心を外れた単一の円弧形状のセグメントを形成することができる。妨害要素の外側に突き出る指状に突き出た部分１１の突出部分は、これらの図に示すように、凹部１３ａの幅に実質的に等しい直径を有することができる。指状に突き出た部分の直径はまた、指状に突き出た部分が、それ自体を誘導することを確実にするために凹部の側面と接触状態のままでいるという条件で、より小さくすることができる。このために、コイルばねなどの戻し手段を提供して、可動部分の両方の作動方向で凹部の２つの側面の一方と接触した状態で指状に突き出た部分を保持することができる。
【００１６】
ロックする機器は、望ましくない変化を起こす危険性なしに、可動部分を所望の位置に保持することができるようにする手段をさらに含むことができる。このために、ロックする機器は、可動部分内に作成された空洞内にボールが収容されるボールキャッチを具備することができる。
【００１７】
バルブをロックするための機器は、以下のように動作する。図１Ａ〜図１Ｄでは、バルブ３は、図示する例では可動部分１３の把持ゾーン１３ｂを９時の位置に位置決めすることに対応する閉位置にロックされている。この位置では、指状に突き出た部分１１は、ケースの軸１ａの最も近くに位置する、凹部１３ａのセグメントａ１と係合する。妨害要素９は、その軸位置がケースの軸の最も近くに位置するということが言える。この位置では、リング６の肩部６ａは、スリーブ１０の内側部分１０ａに当接する。したがって、ケースの軸からさらに離れて位置する、バルブの開位置に向けた、バルブのどんな軸方向変位も防止される。図２Ａ〜図２Ｃでは、把持ゾーン１３ｂは、ユーザにより、所与の角度の付近に回転させられる。図示する例では、２つの位置の間がなす角度の大きさは、約３０°である。当然のことながら、この大きさは、大きくする、または小さくすることができる。把持ゾーン１３ｂが、したがって、可動部分１３がこの角度まで変位した後、妨害要素９の指状に突き出た部分１１は、それまでの位置に対してケースの軸からさらに離れて位置する、凹部１３ａのセグメントａ１内に位置決めされる。次いで、妨害要素９は、ケースの軸と逆方向に軸方向変位を受け、スリーブ１０の内側部分１０ａとリング６の肩部６ａの間の空間Ｄを解放する（図２Ｂ）。次いで、ユーザは、図３Ａ〜図３Ｃに示すように、バルブが開位置にある最大移動Ｄを越えて軸方向に妨害要素９を移動させるために、バルブのねじを自由に緩めることができる。
【００１８】
バルブのためのロックする機器およびその機能について記述してきたが、しかしながら、ロックする機器はまた、同じロックする機器により下がった位置に保持される巻上げボタンのために使用することができる。公知の手法では、巻上げボタンは、この下がった位置、中間位置、および突出する位置を取ることができ、それぞれ計時器を巻くことができるようにする、日付を変更することができるようにする、時間を変更することができるようにする。
【００１９】
最後に、図１Ａ〜図３Ｃに提示する代替実施形態の代わりに、可動部分上に作成された突出部分の範囲を確定する側面によりカムを形成することができ、妨害要素内に作成された凹部により従動節を形成することができることが明記されるべきである。
【符号の説明】
【００２０】
１  ケース
１ａ  中心軸
２  中央部
３  部材、詳細にはバルブまたは制御部材
４  バルブの頭部
５  バルブの中空体
６  バルブのリング
６ａ  肩部
７  チューブ
８  ロッド
９  妨害要素
１０  妨害要素のスリーブ
１０ａ  内側部分または軸受面
１０ｂ  凹部または筐体または開口部
１１  指状に突き出た部分
１２  ベゼル
１３  可動部分
１３ａ  内側の凹部
ａ１  セグメント
ａ２  遷移ゾーン
１３ｂ  突出部分または把持ゾーン
１４  ガスケット
【図１Ａ】
2020076771.tif 000003
【図１Ｂ】
2020076771.tif 000004
【図１Ｃ】
2020076771.tif 000005
【図１Ｄ】
2020076771.tif 000006
【図２Ａ】
2020076771.tif 000007
【図２Ｂ】
2020076771.tif 000008
【図２Ｃ】
2020076771.tif 000009
【図３Ａ】
2020076771.tif 000010
【図３Ｂ】
2020076771.tif 000011
【図３Ｃ】
2020076771.tif 000012
【外国語明細書】
2020076771000001.pdf